(57)【要約】【課題】撮像の際に、フレームレートの切り替えを好適なタイミングで簡単に行う。【解決手段】カメラ１００に備えられたアクセサリーシュー７５には、撮像部２２で撮像された画像を表示可能な外付け電子ビューファインダー１２２が着脱可能に接続される。システム制御部５０は、外付け電子ビューファインダーがアクセサリーシューに接続されていない場合には、第１のフレームレートで撮像部による撮像を行い、外付け電子ビューファインダーがアクセサリーシューに接続されている場合には、第１のフレームレートよりも高いフレームレートである第２のフレームレートで撮像部による撮像を行う。【選択図】図４
2015119207.tif 000002
【特許請求の範囲】
【請求項１】
被写体を撮像して画像を得る撮像手段を備える撮像装置であって、
前記撮像手段で撮像された画像を表示可能であり、前記撮像装置に着脱可能な第１の表示手段との接続手段と、
前記第１の表示手段が前記接続手段に接続されていない場合には、第１のフレームレートで前記撮像手段による撮像を行い、前記第１の表示手段が前記接続手段に接続されている場合には、前記第１のフレームレートよりも高いフレームレートである第２のフレームレートで前記撮像手段による撮像を行うように制御する制御手段と、
を有することを特徴とする撮像装置。
【請求項２】
前記撮像手段で撮像された画像を表示する第２の表示手段を有することを特徴とする請求項１に記載の撮像装置。
【請求項３】
前記制御手段は、前記第１の表示手段が前記接続手段に接続されていない場合には、前記撮像手段で撮像された画像を第１のフレームレートで前記第２の表示手段に表示するように制御し、前記第１の表示手段が前記接続手段に接続されている場合には、前記撮像手段で撮像された画像を前記第２のフレームレートで前記第１の表示手段に表示するように制御することを特徴とする請求項２に記載の撮像装置。
【請求項４】
被写体を撮像して画像を得る撮像手段を備える撮像装置であって、
前記撮像手段で撮像された画像を表示可能であり、前記撮像装置に着脱可能な第１の表示手段との接続手段と、
前記撮像手段で撮像された画像を表示する第２の表示手段と、
前記第１の表示手段が前記接続手段に接続されていない場合には、前記撮像手段で撮像された画像を第１のフレームレートで前記第２の表示手段に表示するように制御し、前記第１の表示手段が前記接続手段に接続されている場合には、前記撮像手段で撮像された画像を前記第１のフレームレートよりも高いフレームレートである第２のフレームレートで前記第１の表示手段に表示するように制御する制御手段と、
を有することを特徴とする撮像装置。
【請求項５】
前記第１の表示手段が前記接続手段に接続された際に前記撮像手段で画像を撮像する際のフレームレートの切り替えを行うか否かをユーザーの操作に基づいて設定する設定手段を有し、
前記制御手段は、前記設定手段で前記切り替えを行うと設定されていると、前記接続手段に前記第１の表示手段が接続されたことに応じて前記第２のフレームレートに変更することを特徴とする請求項１乃至４のいずれか１項に記載の撮像装置。
【請求項６】
前記制御手段は、前記設定手段で前記切り替えを行わないと設定されていると、前記接続手段に前記第１の表示手段が接続されたことに応じては前記第２のフレームレートに変更しないことを特徴とする請求項５に記載の撮像装置。
【請求項７】
前記制御手段は、前記接続手段に前記第１の表示手段が接続されたか否かに応じて前記撮像手段で画像を撮像する際のフレームレートを設定した後、ユーザー操作に基づく変更指示があると、当該変更指示に応じて前記設定した後のフレームレートを第１のフレームレート又は第２のフレームレートに変更することを特徴とする請求項１乃至６のいずれか１項に記載の撮像装置。
【請求項８】
前記第１のフレームレートによる撮像は、省電力優先とする撮像であり、前記第２のフレームレートによる撮像は、画像表示優先の撮像であることを特徴とする請求項１乃至７のいずれか１項に記載の撮像装置。
【請求項９】
前記画像はスルー画像であることを特徴とする請求項１乃至８のいずれか１項に記載の撮像装置。
【請求項１０】
被写体を撮像して画像を得る撮像手段と、前記撮像手段で撮像された画像を表示可能であり、前記撮像装置に着脱可能な第１の表示手段との接続手段とを備える撮像装置の制御方法であって、
前記第１の表示手段が前記接続手段に接続されていない場合には、第１のフレームレートで前記撮像手段による撮像を行う第１の制御ステップと、
前記第１の表示手段が前記接続手段に接続されている場合には、前記第１のフレームレートよりも高いフレームレートである第２のフレームレートで前記撮像手段による撮像を行う第２の制御ステップと、
を有することを特徴とする制御方法。
【請求項１１】
被写体を撮像して画像を得る撮像手段と、前記撮像手段で撮像された画像を表示可能であり、前記撮像装置に着脱可能な第１の表示手段との接続手段と、前記撮像手段で撮像された画像を表示する第２の表示手段とを備える撮像装置の制御方法であって、
前記第１の表示手段が前記接続手段に接続されていない場合には、前記撮像手段で撮像された画像を第１のフレームレートで前記第２の表示手段に表示する第１の制御ステップと、
前記第１の表示手段が前記接続手段に接続されている場合には、前記撮像手段で撮像された画像を前記第１のフレームレートよりも高いフレームレートである第２のフレームレートで前記第１の表示手段に表示する第２の制御手段と、
を有することを特徴とする制御方法。
【請求項１２】
コンピュータを、請求項１乃至９のいずれか１項に記載された撮像装置の各手段として機能させるためのプログラム。
【請求項１３】
コンピュータを、請求項１乃至９のいずれか１項に記載された撮像装置の各手段として機能させるためのプログラムを格納したコンピュータが読み取り可能な記憶媒体。
【発明の詳細な説明】
【技術分野】
【０００１】
本発明は、撮像装置、その制御方法、およびプログラム、並びに記憶媒体に関し、特に、外付けの電子ビューファインダーを接続することができる撮像装置に関する。
【背景技術】
【０００２】
近年、デジタルカメラなどの撮像装置において、構図決定を行う際に用いられるファインダーとして、撮像装置の背面に配置された液晶表示部（つまり、液晶画面）とは別に電子ビューファインダーが外付けできる撮像装置が知られている（特許文献１参照）。
【０００３】
外付けの電子ビューファインダーを用いれば、一眼レフカメラなどの撮像装置に搭載される光学ビューファインダーと比べてその光学系を簡素にできるばかりでなく、眼で見たとおりの構図で撮影を行うことができるという利点がある。
【０００４】
さらに、撮像装置の背面に配置された表示部（背面液晶画面）を用いて撮影を行う場合に比べて、外付けの電子ビューファインダーを用いれば、明るい場所においても被写体が確認しやすく、撮像装置のホールディング性が向上する。
【先行技術文献】
【特許文献】
【０００５】
【特許文献１】特開２０１２−１３４６８０号公報
【発明の概要】
【発明が解決しようとする課題】
【０００６】
ところで、動きの速い被写体を撮影する際には、撮像および表示の際のフレームレートを高く設定すると、被写体がより滑らかに確認できる。ところが、フレームレートを高く設定すると、フレームレートが低い場合に比べて消費電力が増加する。
【０００７】
電池を電源として用いた撮像装置においては、消費電力の増加は駆動可能時間の低下に繋がるので、常にフレームレートを高くして設定することは好ましくない。
【０００８】
一方、フレームレートを高くした方が良い場面をユーザーが自分自身で判断することは極めて煩わしい。そして、その都度、ユーザーの操作によってフレームレートを上げる設定を行うとなると、ユーザーによる操作手数が増大してしまう。
【０００９】
そこで、本発明の目的は、フレームレートの切り替えを好適なタイミングで簡単に行うことのできる撮像装置、その制御方法、およびプログラム、並びに記憶媒体を提供することにある。
【課題を解決するための手段】
【００１０】
上記の目的を達成するため、本発明による撮像装置は、被写体を撮像して画像を得る撮像手段を備える撮像装置であって、前記撮像手段で撮像された画像を表示可能であり、前記撮像装置に着脱可能な第１の表示手段との接続手段と、前記第１の表示手段が前記接続手段に接続されていない場合には、第１のフレームレートで前記撮像手段による撮像を行い、前記第１の表示手段が前記接続手段に接続されている場合には、前記第１のフレームレートよりも高いフレームレートである第２のフレームレートで前記撮像手段による撮像を行うように制御する制御手段と、を有することを特徴とする。
【発明の効果】
【００１１】
本発明によれば、フレームレートの切り替えを好適なタイミングで簡単に行うことができる。
【図面の簡単な説明】
【００１２】
【図１】本発明の実施の形態による撮像装置の一例をその背面側から示す斜視図である。
【図２】図１に示すアクセサリーシューに外付けの電子ビューファインダーを接続した状態を示す斜視図である。
【図３】図１に示すカメラの構成の一例を示すブロック図である。
【図４】図３に示すカメラにおける撮影処理の一例を説明するための図である。
【図５】図４に示すＭｅｎｕ設定処理の一例を説明するためのフローチャートである。
【発明を実施するための形態】
【００１３】
以下、本発明の実施の形態による撮像装置の一例について、図面を参照して説明する。
【００１４】
図１は、本発明の実施の形態による撮像装置の一例をその背面側から示す斜視図である。
【００１５】
図示の撮像装置は、所謂デジタルカメラ（以下単にカメラと呼ぶ）であり、少なくとも静止画の撮影を行うことができる。カメラ１００はその背面側に表示部２８（第２の表示手段）が配置されており、この表示部２８には画像および各種情報が表示される。
【００１６】
なお、ここでは、表示部２８はタッチパネルで構成されており、表示部２８に対する接触（タッチ）を検知することができる。
【００１７】
カメラ１００の上面には電源オンおよび電源オフを切り替える電源スイッチ７２が配置されるとともに、撮影指示を行うためのシャッターボタン６１が配置されている。さらに、カメラ１００の上面には、所謂アクセサリーシュー７５（接続手段）が配置されている。
【００１８】
このアクセサリーシュー７５には、例えば、外部ストロボ装置又は外付けの電子ビューファインダー（第１の表示手段：図１には示さず）などの画像を表示可能な外部機器が着脱可能に接続される。つまり、アクセサリーシュー７５はカメラ１００と外部機器とを接続するためのコネクタ（接続部）である。
【００１９】
表示部２８の右側には、各種モードを切り替えるモードダイアル（モード切替スイッチともいう）６０が配置されるとともに、ユーザーからの各種操作を受け付ける操作部７０が配置されている。
【００２０】
操作部７０にはユーザーからの各種操作を受け付けるための各種スイッチ、ボタン、タッチパネルおよびなどが備えられている。さらに、操作部７０にはコントローラホイール７３が備えられており、このコントローラホイール７３は回転操作に応じた指令を送出する。
【００２１】
図示の例では、カメラ１００には、カメラ１００と外部装置（図示せず）とを接続するための接続ケーブル１１１が接続されている。この接続ケーブル１１１はコネクタ１１２によってカメラ１００に接続される。
【００２２】
カメラ１００には記録媒体スロット１２０が形成されており、この記録媒体スロット１２０にはメモリカード又はハードディスクなどの記録媒体２００が収納される。記録媒体スロット１２０に記録媒体２００を収納する際には、カメラ１００に設けられた蓋部１２１を開いて、記録媒体スロット１２０に記録媒体２００を収納する。
【００２３】
図２は、図１に示すアクセサリーシュー７５に外付けの電子ビューファインダー１２２を接続した状態を示す斜視図である。
【００２４】
図示のカメラ１００において、アクセサリーシュー７５に電子ビューファインダー１２２を接続すると、後述するようにして、電子ビューファインダー１２２はカメラ１００と通信を行って電子ビューファインダー１２２の接続状態をカメラ１００に通知する。さらに、カメラ１００からは電子ビューファインダー１２２に表示する画像が転送される。
【００２５】
図３は、図１に示すカメラの構成の一例を示すブロック図である。
【００２６】
図３において、カメラ１００は撮影レンズユニット（以下単に撮影レンズと呼ぶ）１０３を備えており、撮影レンズ１０３には、少なくともズームレンズおよびフォーカスレンズが備えられている。
【００２７】
撮影レンズ１０３の後段には絞り機能を備えるシャッター１０１が配置されている。そして、シャッター１０１の後側には、光学像（被写体像）を電気信号（アナログ信号）に変換するＣＣＤ又はＣＭＯＳ素子などの撮像素子を有する撮像部２２が配置されている。撮像部２２の出力であるアナログ信号はＡ／Ｄ変換器２３によってデジタル信号（画像データ）に変換される。
【００２８】
なお、撮影レンズ１０３の前面側にはバリア１０２が配置されており、このバリア１０２は撮影レンズ１０３、シャッター１０１、および撮像部２２などの撮像系を覆って、汚れおよび破損を防止するためのものである。
【００２９】
画像処理部２４はＡ／Ｄ変換器２３の出力である画像データ、又はメモリ制御部１５から画像データを受けて、所定の画素補間および縮小などのリサイズ処理と色変換処理とを行う。また、画像処理部２４は撮像の結果得られた画像データを用いて所定の演算処理を行う。
【００３０】
システム制御部５０は当該演算結果に基づいて露光制御および測距制御を行う。これにより、ＴＴＬ（スルー・ザ・レンズ）方式のＡＦ（オートフォーカス）処理、ＡＥ（自動露出）処理、およびＥＦ（フラッシュプリ発光）処理が行われる。
【００３１】
さらに、画像処理部２４は撮像の結果得られた画像データを用いて所定の演算処理を行って、当該演算結果に基づいてＴＴＬ方式のＡＷＢ（オートホワイトバランス）処理を行う。
【００３２】
Ａ／Ｄ変換器２３からの出力である画像データは、画像処理部２４およびメモリ制御部１５を介して、或いは直接メモリ制御部１５を介して、メモリ３２に書き込まれる。このメモリ３２は、所定枚数の静止画像又は所定時間の動画像および音声を格納するための十分な記憶容量を備えている。
【００３３】
図示のメモリ３２は画像表示用のメモリ（ビデオメモリ）を兼ねており、メモリ３２に書き込まれた表示用の画像データはＤ／Ａ変換器１３を介して表示部２８に与えられて、画像として表示される。
【００３４】
なお、表示部２８は、例えば、ＬＣＤである。また、メモリ３２に蓄積された画像データをＤ／Ａ変換器１３においてＤ／Ａ変換して表示部２８に逐次転送して表示すれば、表示部２８は電子ビューファインダーとして機能しスルー画像表示（ライブビュー表示）を行うことができる。
【００３５】
前述のように、アクセサリーシュー７５には、カメラ用外部機器が接続される。ここでは、カメラ用外部機器は、例えば、外付けの電子ビューファインダー１２２である。システム制御部５０はアクセサリーシュー７５を介して電子ビューファインダー１２２を制御する。
【００３６】
つまり、図２で説明したように、アクセサリーシュー７５に電子ビューファインダー１２２を接続すると、システム制御部５０は、アクセサリーシュー７５を介して画像データを逐次表示して、電子ビューファインダー１２２にスルー画像を表示する。
【００３７】
システム制御部５０はカメラ１００全体の制御を司る。不揮発性メモリ５６は、電気的に消去・記録可能なメモリであって、例えば、ＥＥＰＲＯＭが用いられる。不揮発性メモリ５６にはシステム制御部５０の動作用の定数、変数、およびプログラムなどが格納されている。このプログラムには、後述する各種フローチャートを実行するためのプログラムが含まれる。
【００３８】
システムメモリ５２は、例えば、ＲＡＭであり、システム制御部５０は不揮発性メモリ５６から動作用の定数、変数、およびプログラムなどを読み出して、システムメモリ５２に展開する。
【００３９】
なお、メモリ３２に書き込まれた画像データは、システム制御部５０においてファイル化されて、インターフェース（Ｉ／Ｆ）１８を介して記録媒体２００に記録される。また、システム制御部は、メモリ３２、Ｄ／Ａ変換器１３、および表示部２８などを制御することによって表示制御を行う。
【００４０】
システム制御部５０にはシステムタイマー５３が接続されており、システムタイマー５２はシステム制御部５０による各種制御で用いる時間を計測してシステム制御部５０に与える。
【００４１】
前述のモード切替スイッチ６０は、例えば、システム制御部５０の動作モードを静止画記録モード、動画記録モード、および再生モードなどのいずれかに切り替えるためのスイッチである。
【００４２】
上記の静止画記録モードには、例えば、オート撮影モード、オートシーン判別モード、マニュアルモード、撮影シーン別の撮影設定となる各種シーンモード、プログラムＡＥモード、およびカスタムモードがある。モード切り替えスイッチ６０を用いれば、これらのモードのいずれかに直接切り替えることができる。
【００４３】
また、モード切り替えスイッチ６０によって静止画記録モードに一旦切り換えた後、上記のモードのいずれかに操作部７０を用いて切り替えるようにしてもよい。同様に、動画記録モードにも複数のモードが含まれている。
【００４４】
シャッターボタン６１が操作途中（半押し：撮影準備指示）であると、第１のシャッタースイッチ（図示せず）がオンとなって、第１のシャッタースイッチ信号ＳＷ１がシステム制御部５０に与えられる。
【００４５】
これによって、システム制御部５０はＡＦ（オートフォーカス）処理、ＡＥ（自動露出）処理、ＡＷＢ（オートホワイトバランス）処理、およびＥＦ（フラッシュプリ発光）処理などの動作を開始する。
【００４６】
シャッターボタン６１が操作完了（全押し）になると、第２のシャッタースイッチ（図示せず）がオンとなって、第２のシャッタースイッチ信号ＳＷ２がシステム制御部５０に与えられる。
【００４７】
これによって、システム制御部５０は撮像部２２の信号読み出しから記録媒体２００に画像データを書き込むまでの一連の撮像処理の動作を開始する。
【００４８】
表示部２８に表示される種々の機能アイコンを選択操作すると、場面（シーン）毎に適宜機能が割り当てられて、操作部７０は各種機能ボタンとして作用する。機能ボタンとして、例えば、終了ボタン、戻るボタン、画像送りボタン、ジャンプボタン、絞込みボタン、および属性変更ボタンがある。
【００４９】
操作部７０においてメニューボタンが操作されると、システム制御部５０は各種設定を行うためのメニュー画面を表示部２８に表示する。ユーザーは表示部２８に表示されたメニュー画面を見て、上下左右の４方向キーおよびＳＥＴボタンを用いて直感的に各種設定を行うことができる。
【００５０】
図１に示すコントローラホイール７３は方向ボタンとともに選択項目を指示する際などに用いられる。コントローラホイール７３を回転操作すると、その操作量に応じた電気的なパルス信号が発生する。システム制御部５０は当該パルス信号に基づいてカメラ１００を制御する。システム制御部５０はパルス信号によってコントローラホイール７３が回転操作された角度およびその回転数を知ることができる。
【００５１】
なお、コントローラホイール７３は回転操作が検出できる操作部材であればどのようなものでもよい。例えば、コントローラホイール７３はユーザーの回転操作に応じてパルス信号を発生するダイヤル操作部材であってもよい。
【００５２】
また、コントローラホイール７３は回転することなく、タッチセンサーよりなる操作部材であってユーザーの指の回転動作などを検出するものであってもよい（所謂タッチホイール）。
【００５３】
電源制御部８０は電池検出回路、ＤＣ−ＤＣコンバータ、および通電するブロックを切り替えるスイッチ回路などを備えている。そして、電源制御部８０は電池の装着の有無、電池の種類、および電池残量の検出を行う。また、電源制御部８０は上記の検出結果およびシステム制御部５０の指示に基づいてＤＣ−ＤＣコンバータを制御して、所定の電圧を必要な期間の間、記録媒体２００を含むカメラ１００の各部に供給する。
【００５４】
電源制御部８０には電源部３０が接続されている。電池部３０はアルカリ電池又はリチウム電池などの一次電池、又はＮｉＣｄ電池、ＮｉＭＨ電池、又はＬｉ電池などの二次電池を備えるとともに、ＡＣアダプターなどを有している。
【００５５】
記録媒体Ｉ／Ｆ１８は、メモリカード又はハードディスクなどの記録媒体２００とのインターフェースであり、記録媒体２００には撮影の結果得られた画像データが記録される。この記録媒体２００は、例えば、半導体メモリ又は磁気ディスクから構成される。
【００５６】
システム制御部５０には、通信部５４が接続されており、当該通信部５４は、無線又は優先ケーブル（例えば、図１に示す接続ケーブル１１１）によって外部装置（図示せず）に接続される。そして、通信部５４は、システム制御部５０の制御下で、映像信号（つまり、画像データ）および音声信号を外部装置と送受信する。
【００５７】
通信部５４は無線ＬＡＮ（Ｌｏｃａｌ  Ａｒｅａ  Ｎｅｔｗｏｒｋ）又はインターネットと接続可能である。そして、通信部５４は撮像部２２による撮像の結果得られた画像データ（スルー画像を含む）および記録媒体２００に記録された画像データを外部装置に送信可能である。また、通信部５４は、外部装置から画像データおよびその他の各種情報を受信することができる。
【００５８】
システム制御部５０には、姿勢検知部５５が接続されており、姿勢検知部５５は重力方向に対するカメラ１００の姿勢を検知して、当該姿勢検知結果をシステム制御部５０に送る。システム制御部５０は、姿勢検知結果に基づいて撮像部２２による撮像の結果得られたた画像がカメラ１００を横に構えて撮像された画像であるか又は縦に構えて撮像された画像であるかを判別する。
【００５９】
システム制御部５０は、上述のようにして判別したカメラ１００の姿勢を示す向き情報を画像ファイルに付加する。さらに、システム制御部５０は向き情報に応じて画像を回転して記録媒体２００に記録することができる。
【００６０】
なお、姿勢検知部５５として、例えば、加速度センサー又はジャイロセンサーが用いられる。
【００６１】
図４は、図３に示すカメラ１００における撮影処理の一例を説明するための図である。
【００６２】
なお、図４に示すフローチャートに係る処理はシステム制御部５０の制御下で行われる。つまり、システム制御部５０は、不揮発性メモリ５６に記憶されたプログラムをシステムメモリ５２に展開して当該プログラムを実行することによって、図４に示すフローチャートに係る処理を行う。
【００６３】
まず、電源スイッチ７２がオンされてカメラ１００が起動すると、システム制御部５０は不揮発性メモリ５６からカメラ１００の各種パラメータを読み出して動作設定の初期化処理を行う（ステップＳ４０１）。この初期化処理においては、撮像および表示用フレームレートを高速又は通常にする設定が含まれる。
【００６４】
続いて、システム制御部５０は、外付け電子ビューファインダー（以下単に電子ビューファインダーと呼ぶ）１２２（図２）がアクセサリーシュー７５に接続されているか否かを判定する（ステップＳ４０２）。電子ビューファインダー１２２がアクセサリーシュー７５に接続されていると（ステップＳ４０２において、ＹＥＳ）、システム制御部５０は設定された撮影画面表示設定のパラメータが省電力設定又は画面表示優先であるかを判定する（ステップＳ４０３）。
【００６５】
なお、当該パラメータは、撮像および表示フレームレートの速さを切り替えるための設定パラメータである。
【００６６】
一方、電子ビューファインダー１２２がアクセサリーシュー７５に接続されていないと（ステップＳ４０２において、ＮＯ）、システム制御部５０は表示部２８（ディスプレイ）の表示および撮像のフレームレート設定を標準（例えば３０ＦＰＳ）にセットする（第１の制御：ステップＳ４０４）。そして、システム制御部５０は、後述するステップＳ４０６の処理に進む。
【００６７】
ここで、撮像のフレームレート設定とは、撮像部２２におけるスルー画像の読み出しの周期設定をいう。撮像のフレームレート設定を３０ＦＰＳにすると、約１／３０秒に１回の割合で、撮像部２２からスルー画像が読み出されて、Ａ／Ｄ変換器２３および画像処理部２４で処理が行われる。そして、撮像のフレームレート設定を６０ＦＰＳにすると、約１／６０秒に１回の周期で読み出し処理が行われる。
【００６８】
表示のフレームレート設定とは、表示部２８におけるスルー画像の表示更新の周期設定をいう。表示のフレームレート設定を３０ＦＰＳにすると、約１／３０秒に１回の割合で、メモリ３２に書き込まれた画像データ（つまり、スルー画像）が読み出されて、Ｄ／Ａ変換器１３を介して表示部２８に表示される。表示のフレームレート設定を６０ＦＰＳにすると、約１／６０秒に１回の周期で表示処理が行われる。
【００６９】
撮影画面表示設定のパラメータが省電力設定であると（ステップＳ４０３において、省電力優先）、システム制御部５０はステップＳ４０４の処理に進む。一方、撮影画面表示設定のパラメータが省電力設定であると（ステップＳ４０３において、省電力優先）、システム制御部５０は、表示および撮像のフレームレート設定を高速（例えば、６０ＦＰＳ）にセットする（第２の制御：ステップＳ４０５）。
【００７０】
ステップＳ４０４又はＳ４０５の処理に続いて、システム制御部５０は撮影待機状態となる（ステップＳ４０６）。ここでは、表示部２８又は電子ビューファインダー１２２にスルー画像が表示されており、システム制御部５０はシャッタースイッチボタン６１および操作部７０による各種操作を待つ状態となる。
【００７１】
次に、システム制御部５０は、操作部７０に備えられたメニュー（Ｍｅｎｕ）ボタンが操作（つまり、押下げ）されたか否かを判定する（ステップＳ４０７）。Ｍｅｎｕボタンが操作されると（ステップＳ４０７において、ＹＥＳ）、システム制御部５０は、後述するＭｅｎｕ設定処理を行う（ステップＳ４０８）。
【００７２】
Ｍｅｎｕボタンが操作されないと（ステップＳ４０７において、ＮＯ）、システム制御部５０は、シャッターボタン６１が半押しされたか否か、つまり、第１のシャッタースイッチがオンとなったか否かを判定する（ステップＳ４０９）。そして、シッターボタン６１が半押しされると（ステップＳ４０９において、ＹＥＳ）、システム制御部５０は、前述のＡＦ処理およびＡＥ処理などの撮影準備処理を行う（ステップＳ４１０）。
【００７３】
その後、システム制御部５０は、シャッターボタン６１が全押しされたか否か、つまり、第２のシャッタースイッチがオンとなったか否かを判定する（ステップＳ４１１）。なお、シッターボタン６１が半押しされないと（ステップＳ４０９において、ＮＯ）、システム制御部５０は、ステップＳ４１１の処理に進む。
【００７４】
シッターボタン６１が全押しされると（ステップＳ４１１において、ＹＥＳ）、システム制御部５０は、撮像部２２における信号読み出しから記録媒体２００に画像データを書き込むまでの一連の撮影処理の動作を行う（ステップＳ４１２）そして、システム制御部５０はステップＳ４０２の処理に戻って電子ビューファインダー１２２の接続確認を行う。
【００７５】
シッターボタン６１が全押しさないと（ステップＳ４１１において、ＮＯ）、システム制御部５０は、ステップＳ４０２の処理に戻って電子ビューファインダー１２２の接続確認を行う。
【００７６】
図５は、図４に示すＭｅｎｕ設定処理の一例を説明するためのフローチャートである。
【００７７】
なお、システム制御部５０は、不揮発性メモリ５６に記憶されたプログラムをシステムメモリ５２に展開して当該プログラムを実行することによって、図５に示すフローチャートに係る処理を行う。
【００７８】
Ｍｅｎｕ設定処理が開始されると、システム制御部５０は、システムメモリ５２に書き込まれたプログラムに従ってメニュー画面を生成して、現在選択されている選択項目（以下カレント項目と呼ぶ）を、メニュー画面の一番上にセットする（ステップＳ５０１）。そして、システム制御部５０は、当該メニュー画面（つまり、設定画面）をメモリ３２に転送して、表示部２８に表示する（ステップＳ５０２：メニュー初期表示）。
【００７９】
続いて、システム制御部５０は操作部７０において上下ボタン（上下キー）の操作が行われたか否かを判定する（ステップＳ５０３）。上下キーが操作されると（ステップＳ５０３において、ＹＥＳ）、システム制御部５０は、上下キーが操作された方向に項目選択を移動する（ステップＳ５０４）。
【００８０】
続いて、システム制御部５０は、現在選択されている項目、つまり、カレント項目が撮影画面表示設定であるか否かを判定する（ステップＳ５０５）。なお、上下キーが操作されないと（ステップＳ５０３において、ＮＯ）、システム制御部５０はステップＳ５０５の処理に進む。
【００８１】
カレント項目が撮影画面表示設定でないと（ステップＳ５０５において、ＮＯ）、システム制御部５０は、操作部７０において左右ボタン（左右キー）の操作が行われたか否かを判定する（ステップＳ５０６）。左右キーの操作が行われると（ステップＳ５０６において、ＹＥＳ）、システム制御部５０はカレント項目の設定を変更する（ステップＳ５０７）。
【００８２】
その後、システム制御部５０は、操作部７０においてメニューボタン（メニューキー）の操作が行われたか否かを判定する（ステップＳ５０８）。なお、左右キーの操作が行われないと（ステップＳ５０６において、ＮＯ）、システム制御部５０はステップＳ５０８の処理に進む。
【００８３】
メニューキーの操作が行われると（ステップＳ５０８において、ＹＥＳ）、システム制御部５０は、図４に示すステップＳ４０２の処理に戻る。一方、メニューキーの操作が行われないと（ステップＳ５０８において、ＮＯ）、システム制御部５０は、ステップＳ５０３の処理に戻る。
【００８４】
カレント項目が撮影画面表示設定であると（ステップＳ５０５において、ＹＥＳ）、システム制御部５０は、システム制御部５０は、撮影画面表示設定項目が選択中であるとして、この状態で操作部７０の左右キーの操作が行われたか（つまり、変更指示があったか）否かを判定する（ステップＳ５０９）。
【００８５】
左右キーが操作されると（ステップＳ５０９において、ＹＥＳ）、システム制御部５０は、現在の設定が画面表示優先であるか否かを判定する（ステップＳ５１０）。現在の設定が画面表示優先でないと（ステップＳ５１０において、ＮＯ）、システム制御部５０は、画面表示優先（画像表示優先ともいう）に設定を切り替える（ステップＳ５１１）。そして、システム制御部５０はステップＳ５０８の処理に進む。
【００８６】
一方、現在の設定が画面表示優先であると（ステップＳ５１０において、ＹＥＳ）、システム制御部５０は、省電力優先に設定を切り替える（ステップＳ５１２）。そして、システム制御部５０はステップＳ５０８の処理に進む。なお、左右キーが操作されないと（ステップＳ５０９において、ＮＯ）、システム制御部５０はステップＳ５０８の処理に進む。
【００８７】
上述の説明から容易に理解できるように、図示のカメラ１００においては、電子ビューファインダー１２２が装着されていない状態においては撮像および表示のフレームレートを低くする（第１のフレームレート）。一方、電子ビューファインダー１２２がカメラ１００に装着されると、撮像および表示のフレームレートが高フレームレートに設定される（第１のフレームレートよりも高い第２のフレームレート）。
【００８８】
これによって、図示のカメラ１００においては、ユーザーは撮影場面に応じて省電力とするか又は滑らかにスルー画像を電子ビューファインダー１２２に表示するかを容易に切り替えることができる。
【００８９】
また、ユーザー操作に応じてフレームレートの切り替えを行わないようにすることもできる。つまり、ユーザーによって電子ビューファインダー１２２がアクセサリーシュー７５に接続された際に撮像する際のフレームレートの切り替えを行うか否かの切り替え設定が行われると、システム制御部５０は、アクセサリーシュー７５に電子ビューファインダー１２２が接続された際に第２のフレームレートに変更する。一方、切り替え設定が行われないと、システム制御部５０は、アクセサリーシュー７５に電子ビューファインダー１２２が接続された際においてもフレームレートの変更は行わない。
【００９０】
このように、本発明の実施の形態では、撮像および表示のフレームレートの切り替えを好適なタイミングで簡単に行うことができる。
【００９１】
なお、システム制御部５０による制御は１つのハードウェアが行ってもよいし、複数のハードウェアが処理を分担することで、装置全体の制御を行ってもよい。
【００９２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９３】
また、上述した実施形態においては、本発明をデジタルカメラなどの撮像装置に適用した場合を例にして説明したが、これはこの例に限定されず、撮像部を備えて、当該撮像部で得られた画像を外付け電子ファインダーに表示する電子機器であれば適用可能である。すなわち、本発明は、撮像部を備えるパーソナルコンピュータやＰＤＡ、および携帯電話端末などに適用可能である。
【００９４】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００９５】
１５  メモリ制御部
２２  撮像部
２４  画像処理部
２８  表示部
３２  メモリ
５０  システム制御部
６１  シャッターボタン
７０  操作部
７５  アクセサリーシュー
２００  記録媒体
【図１】
2015119207.tif 000003
【図２】
2015119207.tif 000004
【図３】
2015119207.tif 000005
【図４】
2015119207.tif 000006
【図５】
2015119207.tif 000007